(57)【要約】【課題】複数の収納盤を設置面に設置する場合において、設置の自由度の向上を図る。【解決手段】取付台１は、上面Ｆ１と、下面Ｆ２と、第１構造Ｓ１と、第２構造とを備えている。上面Ｆ１は、鉛直方向と交差する。下面Ｆ２は、上面Ｆ１と対向して設置面に載せられる。第１構造Ｓ１は、上面Ｆ１に設けられている。第１構造Ｓ１には、複数の収納盤が並んで取り付けられる。第２構造は、下面Ｆ２に設けられ、設置面に取り付けられる。複数の収納盤は、第１収納盤と、第２収納盤との少なくとも一方を含む。第１収納盤は、蓄電池を有する蓄電池ユニットを収納する。第２収納盤は、蓄電池ユニットの出力電力を変換する電力変換ユニットを収納する。第２構造は、第１構造Ｓ１とは異なる構造である。【選択図】図１
2017099101.tif 000002
【特許請求の範囲】
【請求項１】
鉛直方向と交差する上面と、
前記上面と対向して設置面に載せられる下面と、
前記上面に設けられて、複数の収納盤が並んで取り付けられる第１構造と、
前記下面に設けられて、前記設置面に取り付けられる第２構造とを備え、
前記複数の収納盤は、蓄電池を有する蓄電池ユニットを収納する第１収納盤と、前記蓄電池ユニットの出力電力を変換する電力変換ユニットを収納する第２収納盤との少なくとも一方を含み、
前記第２構造は、前記第１構造とは異なる構造であることを特徴とする取付台。
【請求項２】
前記第１構造は、前記複数の収納盤のうちの１つの収納盤について複数の第１取付部を有し、
前記第２構造は、前記１つの収納盤に対応する複数の第２取付部を有し、
鉛直方向から見て、前記複数の第２取付部の位置は、前記複数の第１取付部の位置とは異なることを特徴とする請求項１記載の取付台。
【請求項３】
前記複数の収納盤が並ぶ方向において、前記複数の第２取付部のうち隣り合う収納盤に跨る１組の第２取付部の間隔は、前記複数の第１取付部のうち隣り合う収納盤に跨る１組の第１取付部の間隔よりも広いことを特徴とする請求項２記載の取付台。
【請求項４】
前記上面に上面開口部を有することを特徴とする請求項１又は２記載の取付台。
【請求項５】
前記複数の収納盤の後側と同じ側の面に後面開口部を有することを特徴とする請求項４記載の取付台。
【請求項６】
請求項１乃至５のいずれか１項に記載の取付台と、それぞれ前記第２収納盤に前記電力変換ユニットを収納して構成される複数の電力変換装置とを備えることを特徴とする電力変換システム。
【請求項７】
請求項１乃至５のいずれか１項に記載の取付台と、それぞれ前記第１収納盤に前記蓄電池ユニットを収納して構成される複数の蓄電装置とを備えることを特徴とする電源システム。
【請求項８】
請求項１乃至５のいずれか１項に記載の取付台と、前記第１収納盤に前記蓄電池ユニットを収納して構成される蓄電装置と、前記第２収納盤に前記電力変換ユニットを収納して構成される電力変換装置とを備えることを特徴とする蓄電システム。
【発明の詳細な説明】
【技術分野】
【０００１】
本発明は、取付台、電力変換システム、電源システム、及び蓄電システムに関する。
【背景技術】
【０００２】
従来、屋外に設置される筐体を備える設備機器（収納盤）が知られており、たとえば特許文献１に開示されている。特許文献１に記載の設備機器は、第１の筐体と、第１の筐体が上に載せられる第２の筐体とで構成されている。第１の筐体には、たとえば電力変換ユニットが収納される。第２の筐体には、たとえばトランスが収納される。第２の筐体は、アンカーボルトを用いて地面（設置面）に固定される。
【先行技術文献】
【特許文献】
【０００３】
【特許文献１】特開２０１５−７９８９３号公報
【発明の概要】
【発明が解決しようとする課題】
【０００４】
ところで、特許文献１に記載されているような設備機器（収納盤）の分野では、複数の収納盤を設置面に設置する場合において、設置の自由度の向上が望まれている。
【０００５】
本発明は、上記の点に鑑みてなされており、複数の収納盤を設置面に設置する場合において、設置の自由度の向上を図ることを目的とする。
【課題を解決するための手段】
【０００６】
本発明の取付台は、鉛直方向と交差する上面と、前記上面と対向して設置面に載せられる下面と、前記上面に設けられて、複数の収納盤が並んで取り付けられる第１構造と、前記下面に設けられて、前記設置面に取り付けられる第２構造とを備え、前記複数の収納盤は、蓄電池を有する蓄電池ユニットを収納する第１収納盤と、前記蓄電池ユニットの出力電力を変換する電力変換ユニットを収納する第２収納盤との少なくとも一方を含み、前記第２構造は、前記第１構造とは異なる構造であることを特徴とする。
【０００７】
本発明の電力変換システムは、上記の取付台と、それぞれ前記第２収納盤に前記電力変換ユニットを収納して構成される複数の電力変換装置とを備えることを特徴とする。
【０００８】
本発明の電源システムは、上記の取付台と、それぞれ前記第１収納盤に前記蓄電池ユニットを収納して構成される複数の蓄電装置とを備えることを特徴とする。
【０００９】
本発明の蓄電システムは、上記の取付台と、前記第１収納盤に前記蓄電池ユニットを収納して構成される蓄電装置と、前記第２収納盤に前記電力変換ユニットを収納して構成される電力変換装置とを備えることを特徴とする。
【発明の効果】
【００１０】
本発明は、複数の収納盤を設置面に設置する場合において、設置の自由度の向上を図ることができる。
【図面の簡単な説明】
【００１１】
【図１】図１Ａは、実施形態に係る取付台の正面図である。図１Ｂは、実施形態に係る取付台の左側面図である。図１Ｃは、実施形態に係る取付台の平面図である。
【図２】図２Ａは、実施形態に係る取付台の背面図である。図２Ｂは、実施形態に係る取付台の右側面図である。図２Ｃは、実施形態に係る取付台の底面図である。
【図３】実施形態に係る取付台を右方から見た断面図である。
【図４】実施形態に係る蓄電システムの概略構成図である。
【図５】図５Ａは、実施形態に係る取付台を設置面に取り付ける手順を説明するための斜視図である。図５Ｂは、実施形態に係る取付台を設置面に取り付けた状態を示す平面図である。
【図６】実施形態に係る取付台に収納盤を取り付ける手順を説明するための斜視図である。
【図７】図７Ａは、２台の第２収納盤を並べた状態を示す底面図である。図７Ｂは、２台の第２収納盤を並べて取付台に取り付けた状態を示す底面図である。
【図８】図８Ａは、実施形態に係る電力変換システムに用いられる取付台及び第２収納盤の正面図である。図８Ｂは、実施形態に係る電力変換システムに用いられる取付台及び第２収納盤の左側面図である。図８Ｃは、実施形態に係る電力変換システムに用いられる取付台及び第２収納盤の平面図である。
【図９】図９Ａは、実施形態に係る電力変換システムに用いられる取付台及び第２収納盤の背面図である。図９Ｂは、実施形態に係る電力変換システムに用いられる取付台及び第２収納盤の右側面図である。図９Ｃは、実施形態に係る電力変換システムに用いられる取付台及び第２収納盤の底面図である。
【図１０】実施形態に係る電源システムに用いられる取付台及び第１収納盤の正面図である。
【図１１】図１１Ａは、変形例に係る電力変換システムに用いられる取付台及び第２収納盤の正面図である。図１１Ｂは、変形例に係る電力変換システムに用いられる取付台及び第２収納盤の左側面図である。図１１Ｃは、変形例に係る電力変換システムに用いられる取付台及び第２収納盤の平面図である。
【図１２】図１２Ａは、変形例に係る電力変換システムに用いられる取付台及び第２収納盤の背面図である。図１２Ｂは、変形例に係る電力変換システムに用いられる取付台及び第２収納盤の右側面図である。図１２Ｃは、変形例に係る電力変換システムに用いられる取付台及び第２収納盤の底面図である。
【発明を実施するための形態】
【００１２】
本実施形態は、取付台１、電力変換システム２００、電源システム３００、及び蓄電システム１００に関する。より詳細には、本実施形態は、蓄電池ユニット５や電力変換ユニット７などを収納する収納盤２を設置面Ｇ１に設置するための取付台１、取付台１を用いた電力変換システム２００、電源システム３００、及び蓄電システム１００に関する。
【００１３】
本実施形態の取付台１は、図１〜図３に示すように、上面Ｆ１と、下面Ｆ２と、第１構造Ｓ１と、第２構造Ｓ２とを備えている。上面Ｆ１は、鉛直方向と交差する。下面Ｆ２は、上面Ｆ１と対向して設置面Ｇ１（図６参照）に載せられる。第１構造Ｓ１は、上面Ｆ１に設けられている。第１構造Ｓ１には、複数の収納盤２（図６参照）が並んで取り付けられる。第２構造Ｓ２は、下面Ｆ２に設けられ、設置面Ｇ１に取り付けられる。設置面Ｇ１は、たとえば土やコンクリートである。つまり、設置面Ｇ１は、床面や地面を含む。
【００１４】
複数の収納盤２は、第１収納盤６（図４参照）と、第２収納盤８（図４参照）との少なくとも一方を含む。第１収納盤６は、蓄電池５１を有する蓄電池ユニット５を収納する。第２収納盤８は、蓄電池ユニット５の出力電力を変換する電力変換ユニット７を収納する。
【００１５】
そして、第２構造Ｓ２は、第１構造Ｓ１とは異なる構造である。
【００１６】
また、本実施形態の電力変換システム２００は、図８、図９に示すように、取付台１と、複数の電力変換装置４とを備える。複数の電力変換装置４は、それぞれ第２収納盤８に電力変換ユニット７を収納して構成される。
【００１７】
また、本実施形態の電源システム３００は、図１０に示すように、取付台１と、複数の蓄電装置３とを備える。複数の蓄電装置３は、それぞれ第１収納盤６に蓄電池ユニット５を収納して構成される。
【００１８】
また、本実施形態の蓄電システム１００は、取付台１と、蓄電装置３（図４参照）と、電力変換装置４（図４参照）とを備える。蓄電装置３は、第１収納盤６に蓄電池ユニット５を収納して構成される。電力変換装置４は、第２収納盤８に電力変換ユニット７を収納して構成される。
【００１９】
以下、本実施形態の取付台１、電力変換システム２００、電源システム３００、及び蓄電システム１００について詳しく説明する。ただし、以下に説明する構成は、本発明の一例に過ぎず、本発明は、下記の実施形態に限定されることはなく、この実施形態以外であっても、本発明に係る技術的思想を逸脱しない範囲であれば、設計等に応じて種々の変更が可能である。
【００２０】
また、以下では、取付台１を設置面Ｇ１に設置した状態で、取付台１を正面から見たときの上下方向（鉛直方向）及び左右方向を、上下方向及び左右方向として説明する。つまり、図１Ａに示す矢印により、上下左右の向きを規定する。さらに、以下では、取付台１を設置面Ｇ１に設置した状態で、取付台１を正面から見たときの奥行方向を、前後方向として説明する。つまり、図６に示す矢印により、前後の向きを規定する。なお、図１Ａ、図６、及びその他の図面に示す矢印は、単に説明を補助する目的で記載しているに過ぎず、実体を伴わない。
【００２１】
＜蓄電システム＞
まず、本実施形態の蓄電システム１００について図４を参照して説明する。本実施形態の蓄電システム１００は、複数（本実施形態では２つ）の蓄電装置３と、複数（本実施形態では２つ）の電力変換装置４とを備えている。また、本実施形態の蓄電システム１００は、複数（本実施形態では２つ）の太陽光発電装置１０１と、接続箱１０２と、分電盤１０３と、共用分電盤１０４と、バックアップ分電盤１０５とをさらに備えている。なお、図４では、電力線による接続関係は実線で示し、通信用の接続関係は破線で示している。
【００２２】
蓄電装置３は、複数（本実施形態では２つ）の蓄電池ユニット５と、複数の蓄電池ユニット５を収納する第１収納盤６とを備えている。第１収納盤６には、複数の蓄電池ユニット５が上下方向（鉛直方向）に並んで収納される。また、蓄電池ユニット５は、１つ以上の蓄電池５１と、蓄電池５１を収納する筐体５２とを備えている。
【００２３】
電力変換装置４は、インバータ（パワーコンディショナ）７１と、自立制御部７２（７２Ａ又は７２Ｂ）と、複数のＤＣ／ＤＣコンバータ７３と、ＤＣ／ＤＣコンバータ７４，７５とを備えている。また、電力変換装置４は、これらを収納する第２収納盤８をさらに備えている。複数のＤＣ／ＤＣコンバータ７３は、太陽光発電装置１０１が有する複数の太陽電池パネルに一対一に対応して設けられている。ＤＣ／ＤＣコンバータ７４，７５は、２つの蓄電池ユニット５に一対一に対応して設けられている。ここでは、インバータ７１と、ＤＣ／ＤＣコンバータ７４，７５とで、蓄電池ユニット５の出力する直流電力を交流電力に変換する電力変換ユニット７を構成している。
【００２４】
なお、本実施形態の蓄電システム１００では、第１収納盤６の接地端子Ｅｃと蓄電池ユニット５の筐体５２の接地端子Ｅｃとが直接接続されておらず、第２収納盤８の接地端子Ｅｃを介して間接的に接続されている。
【００２５】
＜取付台＞
次に、本実施形態の取付台１について図１〜図３、及び図５Ａを参照して説明する。本実施形態の取付台１は、枠体１１（図５Ａ参照）を備えている。枠体１１は、板金により、上面及び下面を開口した矩形箱状に形成されている。枠体１１は、前面を構成する第１板１１１と、後面を構成する第２板１１２と、左側面を構成する第３板１１３と、右側面を構成する第４板１１４とを有している。なお、枠体１１、ひいては取付台１を構成する材料は、板金に限定される必要はない。つまり、取付台１は、複数の収納盤２を支持することが可能な構成であればよい。
【００２６】
本実施形態の取付台１は、２つの第１支持片１２と、６つの第２支持片１３と、２つの外側取付片１４と、内側取付片１５と、２つの外側固定片１６と、２つの内側固定片１７とを備えている。
【００２７】
第１支持片１２は、図１Ｃに示すように、左右方向に長い矩形状に形成されている。２つの第１支持片１２のうち、第１板１１１の上端に設けられた第１支持片１２は、後方に向かって突出している。また、２つの第１支持片１２のうち、第２板１１２の上端に設けられた第１支持片１２は、前方に向かって突出している。
【００２８】
外側取付片１４は、図１Ｃに示すように、前後方向に長い矩形状に形成されている。また、外側取付片１４の前後方向における両端部には、それぞれ円形状の外側取付孔１４１が設けられている。２つの外側取付片１４のうち、第３板１１３の上端に設けられた外側取付片１４は、右方に向かって突出している。また、２つの外側取付片１４のうち、第４板１１４の上端に設けられた外側取付片１４は、左方に向かって突出している。
【００２９】
内側取付片１５は、図１Ｃに示すように、前後方向に長い矩形状に形成されている。内側取付片１５は、取付台１の左右方向の中間部に設けられている。内側取付片１５の前端は、第１板１１１に設けられた第１支持片１２に固定されている。内側取付片１５の後端は、第２板１１２に設けられた第１支持片１２に固定されている。また、内側取付片１５の四隅には、それぞれ円形状の内側取付孔１５１が設けられている。さらに、内側取付片１５の左右両端には、それぞれ下方に向かって突出する側片１５２が一体に設けられている（図３参照）。
【００３０】
２つの第１支持片１２と、２つの外側取付片１４と、内側取付片１５とは、図１Ａ〜図１Ｃに示すように、取付台１の上面Ｆ１を構成している。上面Ｆ１には、複数（本実施形態では２台）の収納盤２が左右方向に並んで載せられる。
【００３１】
本実施形態では、収納盤２は、これら外側取付孔１４１及び内側取付孔１５１に通されるボルトＢ１（図６参照）を用いて、取付台１に取り付けられる。そして、本実施形態の取付台１では、左側の外側取付片１４の２つの外側取付孔１４１は、第１取付部Ｓ１１を構成している。また、内側取付片１５における左側の２つの内側取付孔１５１は、第１取付部Ｓ１１を構成している。そして、これら複数（ここでは、２つ）の第１取付部Ｓ１１に、複数の収納盤２のうちの１つの収納盤２（左側の収納盤２）が取り付けられる。
【００３２】
同様に、本実施形態の取付台１では、右側の外側取付片１４の２つの外側取付孔１４１は、第１取付部Ｓ１１を構成している。また、内側取付片１５における右側の２つの内側取付孔１５１は、第１取付部Ｓ１１を構成している。そして、これら複数（ここでは、２つ）の第１取付部Ｓ１１に、複数の収納盤のうちの１つの収納盤２（右側の収納盤２）が取り付けられる。
【００３３】
つまり、本実施形態の取付台１は、上面Ｆ１に設けられて複数の収納盤２が取り付けられる第１構造Ｓ１を備えている。そして、第１構造Ｓ１は、複数の収納盤２のうちの１つの収納盤２について複数の第１取付部Ｓ１１を有している。
【００３４】
第２支持片１３は、図２Ｃに示すように、左右方向に長い矩形状に形成されている。６つの第２支持片１３のうち、第１板１１１の下端に設けられた３つの第２支持片１３は、それぞれ後方に向かって突出している。また、６つの第２支持片１３のうち、第２板１１２の下端に設けられた３つの第２支持片１３は、それぞれ前方に向かって突出している。
【００３５】
外側固定片１６は、図２Ｃに示すように、前後方向に長い矩形状に形成されている。外側固定片１６は、左右方向の幅が、外側取付片１４の左右方向の幅よりも大きくなっている。また、外側固定片１６の前後方向における両端部には、それぞれ円形状の外側固定孔１６１が設けられている。２つの外側固定片１６のうち、第３板１１３の下端に設けられた外側固定片１６は、右方に向かって突出している。また、２つの外側固定片１６のうち、第４板１１４の下端に設けられた外側固定片１６は、左方に向かって突出している。
【００３６】
内側固定片１７は、図２Ｃに示すように、前後方向に長い矩形状に形成されている。内側固定片１７の前端は、第１板１１１に設けられた第２支持片１３に固定されている。内側固定片１７の後端は、第２板１１２に設けられた第２支持片１３に固定されている。また、内側固定片１７の前後方向における両端部には、それぞれ円形状の内側固定孔１７１が設けられている。２つの内側固定片１７は、平面視において、内側取付片１５を挟むようにして設けられている。
【００３７】
２つの内側固定片１７のうち、右側の内側固定片１７の左端には、上方に向かって突出する立片１７２が一体に設けられている。また、２つの内側固定片１７のうち、左側の内側固定片１７の右端には、上方に向かって突出する立片１７２が一体に設けられている。立片１７２には、４つの通孔１７３が前後方向に沿って間隔を空けて設けられている。
【００３８】
６つの第２支持片１３と、２つの外側固定片１６と、２つの内側固定片１７とは、図２Ａ〜図２Ｃに示すように、取付台１の下面Ｆ２を構成している。下面Ｆ２は、設置面Ｇ１（図５Ａ、図５Ｂ参照）に載せられる。
【００３９】
本実施形態では、取付台１は、これら外側固定孔１６１及び内側固定孔１７１に通されるアンカーボルトＡＢ１を用いて、設置面Ｇ１に取り付けられる（図５Ａ、図５Ｂ参照）。なお、アンカーボルトＡＢ１は、設置面Ｇ１に打ち込まれる。そして、本実施形態の取付台１では、左側の外側固定片１６の２つの外側固定孔１６１は、第２取付部Ｓ２１を構成している。また、左側の内側固定片１７の２つの内側固定孔１７１は、第２取付部Ｓ２１を構成している。そして、これら複数（ここでは、２つ）の第２取付部Ｓ２１は、複数の収納盤２のうちの１つの収納盤２（左側の収納盤２）に対応している。
【００４０】
同様に、本実施形態の取付台１では、右側の外側固定片１６の２つの外側固定孔１６１は、第２取付部Ｓ２１を構成している。また、右側の内側固定片１７の２つの内側固定孔１７１は、第２取付部Ｓ２１を構成している。そして、これら複数（ここでは、２つ）の第２取付部Ｓ２１は、複数の収納盤２のうちの１つの収納盤２（右側の収納盤２）に対応している。
【００４１】
つまり、本実施形態の取付台１は、下面Ｆ２に設けられて設置面Ｇ１に取り付けられる第２構造Ｓ２を備えている。そして、第２構造Ｓ２は、複数の収納盤２のうちの１つの収納盤２に対応する複数の第２取付部Ｓ２１を有している。
【００４２】
図１Ｃに示すように、２つの第１支持片１２と、２つの外側取付片１４と、内側取付片１５とで囲まれる領域は、左右方向に並ぶ２つの上面開口部Ａ１を構成している。上面開口部Ａ１は、上下方向から見て、左右方向に長い矩形状である。
【００４３】
また、図２Ｃに示すように、６つの第２支持片１３と、２つの外側固定片１６と、２つの内側固定片１７とで囲まれる領域は、左右方向に並ぶ２つの下面開口部Ａ２を構成している。下面開口部Ａ２は、上下方向から見て、左右方向に長い矩形状である。
【００４４】
また、第２板１１２には、図２Ａに示すように、左右方向に並ぶ２つの矩形状の領域が、線を引くことで規定されている。これらの領域は、それぞれ後面開口部Ａ３を設けてもよい領域を示す。つまり、これらの領域内で、所望の形状・大きさで第２板１１２を切り取ることにより、後面開口部Ａ３を設けることが可能である。図２Ａに示す例では、後面開口部Ａ３は、前後方向から見て、左右方向に長い矩形状となる。これらの領域は、施工の際に、開口を設けても構造上影響のない箇所を示す目安とすることができる。
【００４５】
また、図３に示すように、内側取付片１５の側片１５２と、内側固定片１７の立片１７２との間の領域は、内側開口部Ａ４を構成している。内側開口部Ａ４は、左右方向から見て、前後方向に長い矩形状である。
【００４６】
＜手順＞
以下、本実施形態の取付台１を用いて、複数の収納盤２（ここでは、２台の第２収納盤８）を設置面Ｇ１に設置する手順について図５、図６を参照して説明する。
【００４７】
手順を説明するにあたり、第２収納盤８の構成について簡単に説明する。第２収納盤８は、図６に示すように、第１筐体８１と、第２筐体８２とを備えている。第１筐体８１及び第２筐体８２は、いずれも板金により矩形箱状に形成されている。
【００４８】
第１筐体８１は、前面を開口したボディ８１１と、ボディ８１１の開口部を塞ぐ蓋体８１２とを有する。第２筐体８２は、前面を開口したボディ８２１と、ボディ８２１の開口部を塞ぐ蓋体８２２（図９Ｂ参照）とを有する。第１筐体８１には、たとえば電力変換ユニット７が収納される。第２筐体８２には、たとえばトランスが収納される。
【００４９】
第１筐体８１は、第２筐体８２の上に載せられた状態で、たとえばボルトにより第２筐体８２に結合されている。つまり、第１筐体８１及び第２筐体８２は、上下方向（鉛直方向）に並んでいる。
【００５０】
第２筐体８２の下面の左右両端部には、それぞれ第２筐体８２（つまり、第２収納盤８）を取付台１に載せるための取付片８３が設けられている。取付片８３の前後方向の両端部には、それぞれボルトＢ１の軸部を通すための取付孔８４が設けられている。つまり、第２筐体８２の下面の四隅には、それぞれ取付孔８４が設けられている。また、第２筐体８２の下面には、左右方向に長い矩形状の開口部８５が設けられている。
【００５１】
まず、作業者は、図５Ａ、図５Ｂに示すように、取付台１の第２構造Ｓ２を設置面Ｇ１に取り付ける。設置面Ｇ１には、予め複数（ここでは、８本）のアンカーボルトＡＢ１が打ち込まれていると仮定する。作業者は、取付台１の下面Ｆ２を設置面Ｇ１に対向させる。次に、作業者は、取付台１の４つの外側固定孔１６１及び４つの内側固定孔１７１に、それぞれ８本のアンカーボルトＡＢ１の軸部を下方から通す。そして、作業者がアンカーボルトＡＢ１の軸部にナットＮ１を上方から締め付けることで、取付台１が設置面Ｇ１に取り付けられる。
【００５２】
次に、作業者は、取付台１の第１構造Ｓ１に２台の第２収納盤８を取り付ける。ここでは、２台の第２収納盤８のうち左側の第２収納盤８を取付台１に取り付ける手順について説明する。なお、右側の第２収納盤８は、同様の手順により取付台１に取り付けることが可能である。
【００５３】
まず、作業者は、図６に示すように、第２収納盤８の４つの取付孔８４を、それぞれ取付台１の４つの取付孔に合わせるようにして、第２収納盤８を取付台１の上面Ｆ１に載せる。４つの取付孔は、左側の外側取付片１４の２つの外側取付孔１４１と、内側取付片１５における左側の２つの内側取付孔１５１である。次に、作業者は、第２収納盤８の４つの取付孔８４及び取付台１の４つの取付孔に、それぞれ４本のボルトＢ１の軸部を上方から通す。そして、作業者がボルトＢ１の軸部にナットを下方から締め付けることで、第２収納盤８が取付台１に取り付けられる。
【００５４】
なお、ナットは、予め取付台１の外側取付片１４及び内側取付片１５の下面に溶接などにより固定されていてもよい。この場合、作業者がナットに対してボルトＢ１を上方から締め付けることにより、第２収納盤８が取付台１に取り付けられる。
【００５５】
ここで、アンカーボルトＡＢ１の径寸法は、たとえばＪＩＳ（Japanese Industrial Standards：日本工業規格）でいう「Ｍ１２」である。また、ボルトＢ１の径寸法は、たとえばＪＩＳでいう「Ｍ８」である。もちろん、アンカーボルトＡＢ１及びボルトＢ１の径寸法は、それぞれ設計に応じて適宜変更しても構わない。
【００５６】
ところで、本実施形態の取付台１を用いずに、複数の収納盤２を並べて設置面Ｇ１に直接取り付けることも考えられるが、この場合、以下のような問題が生じ得る。
【００５７】
図７Ａは、複数の収納盤２（ここでは、２台の第２収納盤８）を左右方向に並べた構成を下方から見た図である。この場合、左右方向において、左側の第２収納盤８における右側の取付孔８４の中心と、右側の第２収納盤８における左側の取付孔８４の中心との間隔Ｄ１１が狭くなる。このため、隣り合うアンカーボルトＡＢ１の間隔を狭くせざるを得ず、隣り合うアンカーボルトＡＢ１の間隔を十分に確保することができず、結果としてアンカーボルトＡＢ１の所望の強度を確保することができない可能性がある。
【００５８】
これに対して、本実施形態の取付台１を用いて、複数の収納盤２を並べて設置面Ｇ１に取り付ける場合、以下のような利点がある。
【００５９】
図７Ｂは、複数の収納盤２（ここでは、２台の第２収納盤８）を左右方向に並べて取付台１に取り付けた構成を下方から見た図である。左右方向において、左側の第２収納盤８に対応する複数（ここでは、２つ）の第２取付部Ｓ２１の間隔Ｄ２は、複数（ここでは、２つ）の第１取付部Ｓ１１の間隔Ｄ１よりも狭くなっている。同様に、左右方向において、右側の第２収納盤８に対応する複数（ここでは、２つ）の第２取付部Ｓ２１の間隔Ｄ２は、複数（ここでは、２つ）の第１取付部Ｓ１１の間隔Ｄ１よりも狭くなっている。
【００６０】
このため、左右方向において、左側の内側固定片１７の内側固定孔１７１の中心と、右側の内側固定片１７の内側固定孔１７１の中心との間隔Ｄ２１は、間隔Ｄ１１よりも広くなる。つまり、複数の収納盤２が並ぶ方向において、隣り合う収納盤２に跨る１組の第２取付部Ｓ２１の間隔Ｄ２１は、隣り合う収納盤２に跨る１組の第１取付部Ｓ１１の間隔Ｄ１１よりも広くなっている。
【００６１】
したがって、隣り合うアンカーボルトＡＢ１の間隔を広げることができ、結果としてアンカーボルトＡＢ１の所望の強度を確保し易くなる。本実施形態では、たとえば間隔Ｄ１１が５０ｍｍであれば、間隔Ｄ２１を１２０ｍｍ以上に広げることが可能である。
【００６２】
上述のように、本実施形態の取付台１は、図１、図２に示すように、上面Ｆ１に設けられて複数の収納盤２が並んで取り付けられる第１構造Ｓ１と、下面Ｆ２に設けられて設置面Ｇ１に取り付けられる第２構造Ｓ２とを備えている。そして、第２構造Ｓ２は、第１構造Ｓ１とは異なる構造である。このため、本実施形態の取付台１は、複数の収納盤２を並べて設置面Ｇ１に直接取り付ける構造を、複数の収納盤２を設置する設置面Ｇ１に応じた構造に変換することができる。したがって、本実施形態の取付台１は、複数の収納盤２を設置面Ｇ１に設置する場合において、設置の自由度の向上を図ることができる。
【００６３】
また、本実施形態の取付台１では、図１Ｃに示すように、第１構造Ｓ１は、複数の収納盤２のうちの１つの収納盤２について複数の第１取付部Ｓ１１を有している。また、図２Ｃに示すように、第２構造Ｓ２は、上記の１つの収納盤２に対応する複数の第２取付部Ｓ２１を有している。そして、鉛直方向から見て、複数の第２取付部Ｓ２１の位置は、複数の第１取付部Ｓ１１の位置とは異なっている。この構成では、複数の収納盤２を並べて設置面Ｇ１に直接取り付ける場合の取付位置を、複数の収納盤２を設置する設置面Ｇ１に応じた取付位置に変換することができる。なお、当該構成を採用するか否かは任意である。
【００６４】
さらに、本実施形態の取付台１では、図７Ｂに示すように、複数の収納盤２が並ぶ方向において、間隔Ｄ２１は、間隔Ｄ１１よりも広い。間隔Ｄ２１は、複数の第２取付部Ｓ２１のうち隣り合う収納盤２に跨る１組の第２取付部Ｓ２１の間隔である。また、間隔Ｄ１１は、複数の第１取付部Ｓ１１のうち隣り合う収納盤２に跨る１組の第１取付部Ｓ１１の間隔である。この構成では、アンカーボルトＡＢ１を用いて複数の収納盤２を設置面Ｇ１に取り付ける場合に、取付台１を用いない場合と比較して、隣り合うアンカーボルトＡＢ１の間隔を、所望の強度を確保できるように広げることが可能である。なお、当該構成を採用するか否かは任意である。
【００６５】
また、本実施形態の取付台１では、図７Ｂに示すように、左右方向において、外側固定片１６（ここでは、左側の外側固定片１６）の外側固定孔１６１の中心と、取付台１の一端（ここでは、左端）との間隔Ｄ３は、間隔Ｄ２の半分以上であるのが好ましい。この構成は、たとえば３つ以上の収納盤２を並べて設置面Ｇ１に取り付けるために、２つ以上の取付台１を並べて設置面Ｇ１に取り付ける場合に利点がある。
【００６６】
つまり、２つ以上の取付台１を並べたときに、隣り合う外側固定片１６の外側固定孔１６１の中心の間隔は、間隔Ｄ３の２倍となるため、間隔Ｄ２以上となる。このため、２つ以上の取付台１を並べる場合にも、隣り合うアンカーボルトＡＢ１の間隔を、所望の強度を確保できるように広げることが可能である。
【００６７】
また、本実施形態の取付台１は、図１Ｃに示すように、上面Ｆ１に上面開口部Ａ１を有している。この構成では、複数の収納盤２の各々に収納された電気機器に接続された配線を、上面開口部Ａ１を通して取付台１の内側に引き回すことができる。なお、当該構成を採用するか否かは任意である。
【００６８】
また、本実施形態の取付台１は、図２Ａ、図５Ａに示すように、複数の収納盤２の後側と同じ側の面（つまり、後面）に後面開口部Ａ３を有していてもよい。この構成では、作業者は、複数の収納盤２を取付台１に取り付けた状態で、後面開口部Ａ３を通して配線を取付台１の内外に引き回すことができる。このため、作業者は配線作業をし易くなり、施工性が向上する。なお、当該構成を採用するか否かは任意である。
【００６９】
また、本実施形態の取付台１は、図３、図５Ａに示すように、内側開口部Ａ４を有している。内側開口部Ａ４は、取付台１の内側において、複数の収納盤２の各々に収納された電気機器を互いに接続する渡り配線を通すために用いることができる。この構成では、渡り配線をわざわざ取付台１の外側を介して配線する必要がない。このため、作業者は配線作業をし易くなり、施工性が向上する。また、渡り配線が取付台１の外側に露出しないので、取付台１の外側に渡り配線に必要なスペースを設ける必要がない。また、内側開口部Ａ４に通した渡り配線は、たとえば結束バンドにより束ねてもよい。この場合、結束バンドを通孔１７３に通した状態で、結束バンドにより渡り配線を束ねることも可能である。なお、取付台１が内側開口部Ａ４を備えるか否かは任意である。
【００７０】
ところで、本実施形態の取付台１は、上述のように、複数の収納盤２を並べて設置面Ｇ１に直接取り付ける場合の取付位置を、複数の収納盤２を設置する設置面Ｇ１に応じた取付位置に変換する構成であるが、この構成に限定されない。
【００７１】
たとえば、取付台１は、第２構造Ｓ２における外側固定孔１６１及び内側固定孔１７１の径寸法が、第１構造Ｓ１における外側取付孔１４１及び内側取付孔１５１の径寸法と異なるように構成されていてもよい。この構成では、ボルトＢ１の径寸法を、複数の収納盤２を設置する設置面Ｇ１に応じたアンカーボルトＡＢ１の径寸法に変換することができる。
【００７２】
また、取付台１は、第１構造Ｓ１がボルトＢ１及びナットＮ１を、第２構造Ｓ２がアンカーボルトＡＢ１及びナットを含んで構成されていてもよい。この構成では、ボルトＢ１の軸部の長さを、複数の収納盤２を設置する設置面Ｇ１に応じたアンカーボルトＡＢ１の軸部の長さに変換することができる。
【００７３】
なお、本実施形態の取付台１に複数の収納盤２を取り付けた状態で、複数の収納盤２の上面に、それぞれ壁に固定するための固定金具を取り付けてもよい。この構成では、複数の収納盤２が壁に固定されるため、耐震性を向上することができる。また、より耐震性を向上するために、複数の収納盤２の各々に設けられた固定金具を連結する連結金具をさらに取り付けてもよい。
【００７４】
また、本実施形態の取付台１では、複数の収納盤２が隙間なく並んで取り付けられているが、複数の収納盤２が間隔を空けて並んで取り付けられていてもよい。また、本実施形態の取付台１は、２台の収納盤２を並べて取り付けられるように構成されているが、さらに多数の収納盤２を並べて取り付けられるように構成されていてもよい。
【００７５】
＜電力変換システム＞
以下、本実施形態の電力変換システム２００について図８、図９を参照して説明する。本実施形態の電力変換システム２００は、取付台１と、複数（ここでは、２つ）の電力変換装置４とを備えている。取付台１には、複数（ここでは、２台）の第２収納盤８が左右方向に並んで取り付けられている。２台の第２収納盤８には、それぞれ電力変換ユニット７が収納されている。つまり、電力変換装置４は、第２収納盤８に電力変換ユニット７を収納して構成されている。
【００７６】
本実施形態の電力変換システム２００では、複数の電力変換装置４が並んで取付台１に取り付けられるので、複数の電力変換装置４を別々に設置面Ｇ１に設置する場合と比較して、１箇所に纏まったシステムを構築することが可能である。
【００７７】
＜電源システム＞
以下、本実施形態の電源システム３００について図１０を参照して説明する。本実施形態の電源システム３００は、取付台１と、複数（ここでは、２つ）の蓄電装置３とを備えている。取付台１には、複数（ここでは、２台）の第１収納盤６が左右方向に並んで取り付けられている。２台の第１収納盤６には、それぞれ蓄電池ユニット５が収納されている。つまり、蓄電装置３は、第１収納盤６に蓄電池ユニット５を収納して構成されている。
【００７８】
本実施形態の電源システム３００では、複数の蓄電装置３が並んで取付台１に取り付けられるので、複数の蓄電装置３を別々に設置面Ｇ１に設置する場合と比較して、１箇所に纏まったシステムを構築することが可能である。
【００７９】
その他、本実施形態の取付台１には、少なくとも１台の第１収納盤６と、少なくとも１台の第２収納盤８とを並べて取り付けることもできる。この場合、第１収納盤６に蓄電池ユニット５を収納することで、蓄電装置３が構成される。また、第２収納盤８に電力変換ユニット７を収納することで、電力変換装置４が構成される。
【００８０】
つまり、本実施形態の蓄電システム１００は、取付台１と、第１収納盤６に蓄電池ユニット５を収納して構成される蓄電装置３と、第２収納盤８に電力変換ユニット７を収納して構成される電力変換装置４とを備えていてもよい。この構成では、蓄電装置３と電力変換装置４とが並んで取付台１に取り付けられるので、蓄電装置３と電力変換装置４とを別々に設置面Ｇ１に設置する場合と比較して、１箇所に纏まったシステムを構築することが可能である。
【００８１】
また、第１収納盤６と第２収納盤８とが左右方向に並べて設置される場合、正面から見て、外観上の統一が図れることが好ましい。具体的には、第１収納盤６と第２収納盤８とで上下方向の寸法が異なる場合には、第１収納盤６と第２収納盤８との一方に、高さ調整用ベースが取り付けられることで、第１収納盤６と第２収納盤８とで設置面Ｇ１からの高さが揃えられることが好ましい。たとえば、第２収納盤８より第１収納盤６の上下方向の寸法が小さい場合、第１収納盤６の下方に高さ調整用ベースが取り付けられることで、第１収納盤６と第２収納盤８とで設置面Ｇ１からの高さが揃えられる。
【００８２】
また、第１収納盤６と第２収納盤８とで前後方向の寸法が異なる場合には、第１収納盤６の前面と第２収納盤８の前面とが面一になるように、第１収納盤６及び第２収納盤８が設置されることが好ましい。たとえば、第１収納盤６及び第２収納盤８が壁際に設置される場合には、壁から第１収納盤６の後面までの距離と壁から第２収納盤８の後面までの距離とを異ならせることで、前面が面一になる。そのため、第１収納盤６及び第２収納盤８の各々の上面に、第１収納盤６及び第２収納盤８を壁に固定するための固定金具が取り付けられる場合には、第１収納盤６と第２収納盤８とで、固定金具の前後方向の寸法が異なることが好ましい。たとえば、第２収納盤８より第１収納盤６の前後方向の寸法が大きい場合、壁に近くなる第１収納盤６用の固定金具の方が、第２収納盤８用の固定金具よりも前後方向の寸法は小さくなる。
【００８３】
＜変形例＞
以下、変形例の電力変換システム２０１について図１１、図１２を参照して説明する。本変形例の電力変換システム２０１は、電力変換装置４の第２収納盤８の代わりに、第３収納盤９を備えている点で、実施形態の電力変換システム２００と異なっている。
【００８４】
第３収納盤９は、第２収納盤８と同様に、第１筐体９１と、第２筐体９２とを備えている。第１筐体９１及び第２筐体９２は、いずれも板金により矩形箱状に形成されている。
【００８５】
第１筐体９１は、前面を開口したボディ９１１と、ボディ９１１の開口部を塞ぐ蓋体９１２とを有する。第２筐体９２は、前面を開口したボディ９２１と、ボディ９２１の開口部を塞ぐ蓋体９２２とを有する。第１筐体９１には、たとえば電力変換ユニット７が収納される。第２筐体９２には、たとえばトランスが収納される。
【００８６】
第１筐体９１は、第２筐体９２の上に載せられた状態で、たとえばボルトにより第２筐体９２に結合されている。つまり、第１筐体９１及び第２筐体９２は、上下方向（鉛直方向）に並んでいる。そして、第１筐体９１の右側面の上端部及び左側面の上端部には、それぞれ通気口９３が設けられている。通気口９３は、上下方向に長いスリットを前後方向に複数並べて構成されている。
【００８７】
上述のように、実施形態の取付台１には、蓄電装置３用の第１収納盤６や、電力変換装置４用の第２収納盤８、第３収納盤９といった、種々の収納盤２を取り付けることが可能である。
【符号の説明】
【００８８】
１  取付台
２  収納盤
３  蓄電装置
４  電力変換装置
５  蓄電池ユニット
５１  蓄電池
６  第１収納盤
７  電力変換ユニット
８  第２収納盤
１００  蓄電システム
２００，２０１  電力変換システム
３００  電源システム
Ａ１  上面開口部
Ａ３  後面開口部
Ｄ１１，Ｄ２１  間隔
Ｆ１  上面
Ｆ２  下面
Ｇ１  設置面
Ｓ１  第１構造
Ｓ１１  第１取付部
Ｓ２  第２構造
Ｓ２１  第２取付部
【図１】
2017099101.tif 000003
【図２】
2017099101.tif 000004
【図３】
2017099101.tif 000005
【図４】
2017099101.tif 000006
【図５】
2017099101.tif 000007
【図６】
2017099101.tif 000008
【図７】
2017099101.tif 000009
【図８】
2017099101.tif 000010
【図９】
2017099101.tif 000011
【図１０】
2017099101.tif 000012
【図１１】
2017099101.tif 000013
【図１２】
2017099101.tif 000014